(57)【要約】【課題】貯湯タンクの全容量に対して、所定の沸き上げ量で使用する時でも、高温の湯との境界部近傍の給湯水が常に更新されて衛生的に使用できる貯湯式給湯装置を提供する。【解決手段】加熱手段１２０によって沸き上げられた高温の湯を給湯水の上側に貯える貯湯タンク１１０と、沸き上げ制御および給湯制御を行う制御手段１６０とを備える貯湯式給湯装置において、貯湯タンク１１０の全容量Ｌに対して、貯湯タンク１１０の上端から下側に向けて所定容量Ｌ１となる位置に取出し口１３１を設け、制御手段１６０は、沸き上げ制御を行う際に、全容量Ｌの沸き上げを不要とする場合には、取出し口１３１位置で沸き上げを停止すると共に、給湯制御を行う際に、貯湯タンク１１０内の給湯水を優先して取出し口１３１から取出して高温の湯と混合するようにする。【選択図】    図１
2005055149.tif 000002
【特許請求の範囲】
【請求項１】
下端側から補充、流出される給湯水が外部に設けられた加熱手段（１２０）によって高温の湯に沸き上げられ、この高温の湯を前記給湯水の上側に貯える貯湯タンク（１１０）と、
前記加熱手段（１２０）を作動させて前記貯湯タンク（１１０）への沸き上げ制御を行うと共に、前記貯湯タンク（１１０）から導出される前記高温の湯に水を混合して所望温度で給湯制御を行う制御手段（１６０）とを備える貯湯式給湯装置において、
前記貯湯タンク（１１０）の全容量（Ｌ）に対して、前記貯湯タンク（１１０）の上端から下側に向けて所定容量（Ｌ１）となる位置に取出し口（１３１）を設け、
前記制御手段（１６０）は、前記沸き上げ制御を行う際に、前記全容量（Ｌ）の沸き上げを不要とする場合には、前記取出し口（１３１）位置で沸き上げを停止すると共に、前記給湯制御を行う際に、前記貯湯タンク（１１０）内の前記給湯水を優先して前記取出し口（１３１）から取出して前記高温の湯と混合するようにしたことを特徴とする貯湯式給湯装置。
【請求項２】
前記取出し口（１３１）は、前記貯湯タンク（１１０）の上下方向に複数設けられ、
前記制御手段（１６０）は、前記沸き上げを停止する位置を必要沸き上げ量に応じて前記複数の取出し口（１３１、１３１ａ）の中から選択することを特徴とする請求項１に記載の貯湯式給湯装置。
【請求項３】
前記制御手段（１６０）は、前記高温の湯が前記所定容量（Ｌ１）の中で複数の異なる温度となるように前記沸き上げ制御を行い、
前記異なる温度領域の各上側部には、給湯用途に応じた導出口（１１３、１１３ａ）がそれぞれ設けられたことを特徴とする請求項１または請求項２のいずれかに記載の貯湯式給湯装置。
【請求項４】
前記加熱手段（１２０）は、高温高圧に圧縮された冷媒からの放熱作用を用いたヒートポンプユニット（１２０）としたことを特徴とする請求項１〜請求項３のいずれかに記載の貯湯式給湯装置。
【請求項５】
前記冷媒は、二酸化炭素としたことを特徴とする請求項４に記載の貯湯式給湯装置。
【発明の詳細な説明】
【技術分野】
【０００１】
本発明は、ヒートポンプユニットのような加熱手段によって加熱された高温の湯を貯えると共に、この高温の湯を蛇口、シャワー、風呂等に給湯する貯湯式給湯装置に関するものである。
【背景技術】
【０００２】
従来の貯湯式給湯装置として、例えば特許文献1に示されるものが知られている。即ち、この貯湯式給湯装置は、加熱手段としてのヒートポンプサイクルによって、貯湯タンクの下側に補充された給湯水を加熱し高温の湯として貯湯タンクの上側から貯める。そして、給湯する際には、貯湯タンクの上端側から高温の湯を取出し、この高温の湯に給水配管からの水を混合し、所望の温度となるようにして、蛇口、シャワー、風呂等で使用できるようにしている。
【０００３】
尚、ここでは、給湯水がヒートポンプサイクルを循環する循環通路内で凍結するのを防止するために、ヒートポンプサイクルによる給湯水の加熱が停止されており、給湯水の温度が所定値以下となった時に、循環通路内の給湯水を循環させ、ヒートポンプサイクルを作動させるようにしている。
【特許文献１】特開２００３−５６９０７号公報
【発明の開示】
【発明が解決しようとする課題】
【０００４】
しかしながら、例えば冬場に比較して夏場のように、湯の使用量が少ない時には、貯湯タンク内を高温の湯で満たすように沸き上げると、湯の余りが生ずるので、その時々に応じた沸き上げ量に調整することが考えられる。そうすると、貯湯タンクの上側から貯められる高温の湯と下側から補充される給湯水との境界部近傍の給湯水は、湯の使用、湯の沸き上げによって貯湯タンク内を上下するのみで更新されずに常に貯湯タンク内に残存することになり、衛生上、好ましくないという問題が生ずる。
【０００５】
本発明は、上記問題に鑑みてなされたもので、貯湯タンクの全容量に対して、所定の沸き上げ量で使用する時でも、高温の湯との境界部近傍の給湯水が常に更新されて衛生的に使用できる貯湯式給湯装置を提供することにある。
【課題を解決するための手段】
【０００６】
本発明は上記目的を達成するために、以下の技術的手段を採用する。
【０００７】
請求項１に記載の発明では、下端側から補充、流出される給湯水が外部に設けられた加熱手段（１２０）によって高温の湯に沸き上げられ、この高温の湯を給湯水の上側に貯える貯湯タンク（１１０）と、加熱手段（１２０）を作動させて貯湯タンク（１１０）への沸き上げ制御を行うと共に、貯湯タンク（１１０）から導出される高温の湯に水を混合して所望温度で給湯制御を行う制御手段（１６０）とを備える貯湯式給湯装置において、貯湯タンク（１１０）の全容量（Ｌ）に対して、貯湯タンク（１１０）の上端から下側に向けて所定容量（Ｌ１）となる位置に取出し口（１３１）を設け、制御手段（１６０）は、沸き上げ制御を行う際に、全容量（Ｌ）の沸き上げを不要とする場合には、取出し口（１３１）位置で沸き上げを停止すると共に、給湯制御を行う際に、貯湯タンク（１１０）内の給湯水を優先して取出し口（１３１）から取出して高温の湯と混合するようにしたことを特徴としている。
【０００８】
これにより、貯湯タンク（１１０）の全容量まで沸き上げを行わない場合に、貯湯タンク（１１０）内の高温の湯との境界部近傍の給湯水が優先的に給湯用に使用され、更新されていくことになるので、衛生的な貯湯式給湯装置（１００）とすることができる。
【０００９】
尚、湯の使用状況に応じて沸き上げ量を減らすことができるので、加熱手段（１２０）の使用エネルギーを低減することができる。
【００１０】
請求項２に記載の発明では、取出し口（１３１）は、貯湯タンク（１１０）の上下方向に複数設けられ、制御手段（１６０）は、沸き上げを停止する位置を必要沸き上げ量に応じて複数の取出し口（１３１、１３１ａ）の中から選択することを特徴としている。
【００１１】
これにより、湯の使用状況に応じた沸き上げ量に近づけることができる。
【００１２】
請求項３に記載の発明では、制御手段（１６０）は、高温の湯が所定容量（Ｌ１）の中で複数の異なる温度となるように沸き上げ制御を行い、異なる温度領域の各上側部には、給湯用途に応じた導出口（１１３、１１３ａ）がそれぞれ設けられたことを特徴としている。
【００１３】
これにより、加熱手段（１２０）の使用エネルギーを最小限にして、用途に応じた湯の使用が可能となる。
【００１４】
請求項４に記載の発明では、加熱手段（１２０）は、高温高圧に圧縮された冷媒からの放熱作用を用いたヒートポンプユニット（１２０）としたことを特徴としている。
【００１５】
請求項１〜請求項３に記載の発明においては、使用状況に応じた沸き上げ量としているので、残湯を減らし、次に沸き上げを行う際に、貯湯タンク（１１０）内の湯（給湯水）の温度を下げることができる。よって、加熱手段（１２０）として、ヒートポンプユニット（１２０）を用いた場合には、ヒートポンプユニット（１２０）の冷媒と給湯水との温度差を大きくすることができるので、ヒートポンプユニット（１２０）の成績係数（冷媒圧縮エネルギーに対する放熱エネルギーの比）を向上することができる。
【００１６】
請求項５に記載の発明では、ヒートポンプユニット（１２０）の冷媒は、二酸化炭素としたことを特徴としている。
【００１７】
ヒートポンプユニット（１２０）の冷媒に二酸化炭素を採用すると、超臨界域を用いることで給湯水を加熱する冷媒の温度を高くすることができ、高温の湯を効率良く沸き上げることが可能となるが、二酸化炭素は給湯水との温度差による成績係数への影響を受けやすい面がある。しかし、本発明においては、上記のようにその温度差の影響を抑制することができるので、二酸化炭素を冷媒として用いるヒートポンプユニット（１２０）本来のメリットを生かすことができる。
【００１８】
尚、上記各手段に付した括弧内の符号は、後述する実施形態記載の具体的手段との対応関係を示す。
【発明を実施するための最良の形態】
【００１９】
（第１実施形態）
以下、本発明の第１実施形態を図１に基づいて説明する。図１は第１実施形態における貯湯式給湯装置（以下、給湯装置）１００の概略構成を示す模式図である。
【００２０】
給湯装置１００は、ヒートポンプユニット１２０によって加熱された高温の湯を貯める貯湯タンク１１０を有し、蛇口、シャワー、風呂等への給湯を行うものとしている。
【００２１】
貯湯タンク１１０は、耐食性に優れた金属製（例えばステンレス製）のタンクであり、外周部に図示しない断熱材が配置されており、高温の湯を長時間に渡って保温することができるようにしている。貯湯タンク１１０は縦長形状であり、その底面（下端側）には導入口１１１が設けられ、この導入口１１１には貯湯タンク１１０内の下側部に給湯水（水道水）を導入する導入管１１２が接続されている。
【００２２】
一方、貯湯タンク１１０の上面（上端側）には導出口１１３が設けられ、導出口１１３には貯湯タンク１１０内の高温の湯を導出するための導出管１１４が接続されている。そして、導出管１１４の出口側は蛇口、シャワー、風呂等へ接続されている。
【００２３】
また、導出管１１４には、導入管１１２から分岐する配管１１５が接続されており、導出管１１４および配管１１５の合流点には混合弁１１６が配設されている。混合弁１１６は開口面積比を調節することにより、導出管１１４からの高温の湯と配管１１５からの水道水との混合比を調節できるようにしている。
【００２４】
尚、混合弁１１６はサーボモータ等の駆動源により弁体を駆動して導出管１１４および配管１１５の開度を調節する電動弁であり、後述する制御装置１６０からの制御信号により作動すると共に、作動状態を制御装置１６０に出力するようにしている。
【００２５】
貯湯タンク１１０の底面には、貯湯タンク１１０内の給湯水を吐出するための吐出口１１７が設けられ、貯湯タンク１１０の上面には、貯湯タンク１１０内の給湯水の上側部に湯を吸入する（貯える）吸入口１１８が設けられている。吐出口１１７と吸入口１１８とはヒートポンプ循環回路１１９で接続されており、ヒートポンプ循環回路１１９の一部はヒートポンプユニット（本発明の加熱手段に対応）１２０内に配置されている。
【００２６】
ヒートポンプユニット１２０は、周知のヒートポンプサイクルを形成するものであり、ここでは冷媒として二酸化炭素を用いて、冷媒を臨界圧力以上に圧縮するようにしている。ヒートポンプ循環回路１１９のヒートポンプユニット１２０内に配置された部分には、図示しない熱交換器が設けられており、図示しないポンプによって吐出口１１７から吐出される貯湯タンク１１０内の給湯水を高温に圧縮された冷媒との熱交換により加熱し、吸入口１１８から貯湯タンク１１０内に戻すことにより貯湯タンク１１０内の給湯水を沸き上げる（高温の湯とする）ことができるようにしている。
【００２７】
本実施形態のように、ヒートポンプユニット１２０において超臨界域を用いることで図示しない圧縮機からの冷媒吐出温度を高くすることができる。従って、フロン冷媒等を採用した場合より高温の湯（例えば９０℃）を効率良く沸き上げることが可能である。尚、ヒートポンプユニット１２０は、後述する制御装置１６０からの制御信号により作動されると共に、作動状態を制御装置１６０に出力するようにしている。
【００２８】
そして、本発明の特徴部として、貯湯タンク１１０の上下方向の途中部位に取出し口１３１を設け、この取出し口１３１は、取出し配管１３２によって導出管１１４に接続されるようにしている。ここで、取出し口１３１の上下方向位置は、貯湯タンク１１０の全容量Ｌに対して上面から下側に向けて所定容量（以下、中間容量Ｌ１）となる位置としている。更に具体的に、この中間容量Ｌ１というのは、例えば年間を通して冬場のように日々最も湯を使用する時に必要とされる貯湯タンク１１０の全容量Ｌに対して、夏場（あるいは、春、秋）のように日々全容量Ｌの湯を使用しない場合に必要とされる容量を想定している。
【００２９】
取出し配管１３２は、導出管１１４の混合弁１１６よりも上流側で接続されるようにしており、取出し配管１３２および導出管１１４の合流点には、混合弁１３３が配設されている。混合弁１３３は、上記した混合弁１１６と同様の電動弁であり、開口面積比を調節することにより、導出管１１４からの高温の湯と、後述するように取出口１３１から取出される給湯水との混合比を調節できるようにしている。尚、混合弁１３３は、後述する制御装置１６０からの制御信号により作動すると共に、作動状態を制御装置１６０に出力するようにしている。
【００３０】
更に、貯湯タンク１１０の外周部で上記取出し口１３１に対応する上下方向位置には、貯湯タンク１１０内の湯の温度を検出する水位温度センサ１３４が設けられており、この水位温度センサによって検出された温度信号は、後述する制御装置１６０に出力されるようにしている。
【００３１】
制御装置（本発明の制御手段に対応）１６０は、水位温度センサ１３４からの温度信号、ユーザが給湯リモコン１６１に入力する給湯スイッチ信号、給湯設定温度信号等に基づいて、ヒートポンプユニット１２０、混合弁１１６、１３３の作動を制御するようにしている。
【００３２】
尚、給湯リモコン１６１は浴室内や台所等の湯を使用する場所の近傍に設置され、制御装置１６０本体は、貯湯タンク１１０に設置されている。
【００３３】
次に、上記構成に基づく給湯装置１００の作動を説明する。
【００３４】
ユーザによって給湯リモコン１６１の給湯スイッチがＯＮされている場合には、制御装置１６０は、主に電力料金の安価な深夜の時間帯（例えば、当日の２３時から翌日の７時）にヒートポンプユニット１２０を作動させ、貯湯タンク１１０内の給湯水を加熱して必要量の高温の湯として貯える（沸き上げ制御）。
【００３５】
また、ユーザが蛇口、シャワー、風呂等で湯を使用する場合は、給湯設定温度（所望温度）に応じて混合弁１１６、１３３の弁開度を調整し、高温の湯と水道水あるいは貯湯タンク１１０内の給湯水とを混合して導出管１１４の先端部から出湯する（給湯制御）。
【００３６】
尚、貯湯タンク１１０内の高温の湯が所定量以下になると、深夜の時間帯外でもヒートポンプユニット１２０を作動させ、湯の沸き増しを行う。
【００３７】
本発明においては、沸き上げ制御において貯湯タンク１１０の全容量Ｌを高温の湯で満たす場合と、中間容量Ｌ１分だけ高温の湯にする場合とに分けられ、以下それぞれの場合について説明していく。
【００３８】
例えば、冬場のように湯の使用量が多い時期においては、貯湯タンク１１０内の全容量Ｌを高温の湯（例えば９０℃）で満たすように沸き上げる。そして、ユーザが湯を使用する場合は、混合弁１３３の導出管１１４側を開き、取出し配管１３２側を閉じた状態とし、貯湯タンク１１０（導出管１１４）からの高温の湯と配管１１５からの水道水とを混合弁１１６で混合して給湯する（例えば４３℃）。
【００３９】
一方、夏場のように湯の使用量が少ない時期においては、沸き上げを行う際に、水位温度センサ１３４によって、貯湯タンク１１０内の給湯水温度が沸き上げ温度（例えば６５℃）を検出した時点で沸き上げを停止する。即ち、貯湯タンク１１０の上面から取出し口１３１の位置までの中間容量Ｌ１の湯が貯められることになる。
【００４０】
そして、ユーザが湯を使用する場合は、貯湯タンク１１０（導出管１１４）からの高温の湯と取出し口１３１、取出し配管１３２からの給湯水とを混合弁１３３で混合して出湯温度に近いお湯にする（例えば４３℃〜４８℃）。更に、このお湯と配管１１５からの水道水とを混合弁１１６で混合し、最終的な出湯温度（例えば４３℃）にして給湯する。即ち、給湯時においては、配管１１５からの水道水よりも貯湯タンク１１０内の給湯水を優先して使用するようにしている。
【００４１】
これにより、貯湯タンク１１０の全容量Ｌまで沸き上げを行わない場合に、貯湯タンク１１０内の高温の湯との境界部近傍の給湯水が優先的に給湯用に使用され、貯湯タンク１１０内の給湯水が更新されていくことになるので、衛生的な給湯装置１００とすることができる。
【００４２】
尚、湯の使用状況に応じて沸き上げ量を減らすことができるので、ヒートポンプユニット１２０の使用エネルギーを低減することができる。
【００４３】
また、湯の使用状況に応じて沸き上げ量を減らすことによって残湯を減らし、次に沸き上げを行う際に、貯湯タンク１１０内の湯（給湯水）の温度を下げることができる。よって、ヒートポンプユニット１２０の冷媒と給湯水との温度差を大きくすることができるので、ヒートポンプユニット１２０の成績係数（冷媒圧縮エネルギーに対する放熱エネルギーの比）を向上することができる。
【００４４】
尚、ヒートポンプユニット１２０の冷媒として二酸化炭素を採用すると、超臨界域を用いることで給湯水を加熱する冷媒の温度を高くすることができ、高温の湯を効率良く沸き上げることが可能となるが、二酸化炭素は給湯水との温度差による成績係数への影響を受けやすい面がある。しかし、本発明においては、上記のようにその温度差の影響を抑制することができるので、二酸化炭素を冷媒として用いるヒートポンプユニット１２０本来のメリットを生かすことができる。
【００４５】
（第２実施形態）
本発明の第２実施形態を図２に示す。第２実施形態は、上記第1実施形態に対して、貯湯タンク１１０内に中間容量分だけ沸き上げる場合の沸き上げ量を選択可能としたものである。
【００４６】
貯湯タンク１１０の取出し口１３１に対して更に取出し口１３１ａを設け（ここでは、取出し口１３１の上側としている）、複数の取出し口１３１、１３１ａとしている。そして、取出し口１３１ａと取出し配管１３２とを取出し配管１３２ａによって接続し、両者の合流点に混合弁１３３ａを配設している。また、貯湯タンク１１０の外周部の取出し口１３２ａに対応する上下方向位置には、水位温度センサ１３４ａを設けている。
【００４７】
貯湯タンク１１０の上面から取出し口１３１までの容量を中間容量Ｌ１とすると、貯湯タンク１１０の上面から取出し口１３１ａまでの容量は中間容量Ｌ１よりも所定分小さい中間容量Ｌ２として得られる。
【００４８】
中間容量Ｌ１で沸き上げを行う時は、水位温度センサ１３４が沸き上げ温度（例えば６５℃）を検出した時点で沸き上げを停止し、また、中間容量Ｌ２で沸き上げを行う時は、水位温度センサ１３４ａが沸き上げ温度（例えば６５℃）を検出した時点で沸き上げを停止する。
【００４９】
そして、中間容量Ｌ１で沸き上げた場合の給湯においては、取出し口１３１から給湯水を取出し、また、中間容量Ｌ２で沸き上げた場合の給湯においては、取出し口１３１ａから給湯水を取出すように混合弁１３３ａを調整し、給湯水を優先して使用する。
【００５０】
これにより、湯の使用状況に応じた沸き上げ量（中間容量Ｌ１あるいは中間容量Ｌ２）を選択することができる。
【００５１】
尚、取出し口およびこれに対応する水位温度センサの数は上記の２つの設定に限らず３つ以上としても良い。
【００５２】
（第３実施形態）
本発明の第３実施形態を図３に示す。第３実施形態は、上記第１実施形態に対して、給湯装置１００に暖房機能を付加しており、給湯用および暖房用（後述する床暖房ユニット１４０）として貯湯タンク１１０内に異なる温度で沸き上げを行い、それぞれの用途に使い分けるようにしている。
【００５３】
貯湯タンク１１０の上面と水位温度センサ１３４との間となる部位に水位温度センサ１３４ｂを設けており、後述するように水位温度センサ１３４および１３４ｂ間に中温の湯（例えば６５℃）が沸き上げられるようにしている。そして、中温の湯の領域の上側部となる水位温度センサ１３４ｂと対応する上下方向位置に導出口１１３を配置し、導出管１１４から中温の湯が導出されるようにしている。尚、導出管１１４に対する取出し口１３１、取出し配管１３２の構成は、上記第１実施形態と同様である。
【００５４】
また、後述するように貯湯タンク１１０の上面および水位温度センサ１３４ｂ間には高温の湯（例えば９０℃）が沸き上げられるようにしており、この高温の湯を給湯用として用いると共に、高温の湯の熱を後述する熱交換器１５０によって床暖房ユニット１４０の熱媒体に伝達するようにしている。
【００５５】
高温の湯の領域の上側部となる貯湯タンク１１０の上面側に、もう１つの導出口１１３ａを設けると共に、取出し口１３１の下側近傍（給湯水側）に戻り口１３５を設けている。導出口１１３ａおよび戻り口１３５は、循環回路１３６によって接続され、この循環回路１３６内には１次ポンプ１３７が設けられている。また、導出口１１３ａは、導出管１１４ａによって混合弁１３３に接続されている。高温の湯は、混合弁１３３が調整され、１次ポンプ１３７の作動によって、貯湯タンク１１０の導出口１１３ａから導出され、戻り口１３５に戻されるようにしている。また、必要に応じて混合弁１３３が調整され、導出管１１４ａ、混合弁１１６を経て給湯用として使用される。
【００５６】
尚、１次ポンプ１３７は回転数可変式のポンプとしており、制御装置１６０からの制御信号によって循環回路１３６内の循環流量を可変可能として作動すると共に、作動状態を制御装置１６０に出力するようにしている。
【００５７】
そして、循環回路１３６の途中には熱交換器１５０が配置されている。熱交換器１５０は対向流型の熱交換器としており、循環回路１３６を流れる高温の湯と床暖房ユニット１４０の暖房用循環回路１４１を流れる熱媒体との間で熱交換を行い、熱媒体を加熱するようにしている。
【００５８】
尚、床暖房ユニット１４０は、室内用の暖房装置であり、暖房用循環回路１４１、２次ポンプ１４２、床パネル１４３、床センサ１４４、熱動弁１４５等により構成されている。
【００５９】
暖房用循環回路１４１には、制御装置１６０によって作動制御される２次ポンプ１４２が設けられており、この２次ポンプ１４２によって内部の熱媒体（本実施形態では水）が循環するようにしている。床パネル１４３は、熱媒体を加熱源として加熱され室内を暖房する。そして、床パネル１４３には床センサ１４４が設けられており、加熱される床パネル１４３の温度信号を制御装置１６０に出力するようにしている。
【００６０】
更に、暖房用循環回路１４１には、熱動弁１４５が設けられており、制御装置１６０によって、弁の開閉が制御される。この弁の開閉によって暖房用循環回路１４１内の熱媒体が循環あるいは停止され、床パネル１４３の温度が暖房リモコン１６２からユーザによって入力される暖房設定温度に基づく目標温度に維持されるようにしている。
【００６１】
次に、上記構成に基づく作動および作用効果について説明する。まず、沸き上げ制御において、給湯用として中温の湯（例えば６５℃）、給湯用を含む暖房用として高温の湯（例えば９０℃）を沸き上げる。即ち、ヒートポンプユニット１２０の能力（圧縮機の回転数）を中温沸き上げ用にセットし、水位温度センサ１３４ｂで得られる温度信号が中温沸き上げ温度となるまで作動させる。これにより、貯湯タンク１１０の上面から水位温度センサ１３４ｂまでの間に中温の湯が沸き上げられる。
【００６２】
次に、ヒートポンプユニット１２０の能力（圧縮機の回転数）を高温沸き上げ用に変更し、水位温度センサ１３４ｂで得られる温度信号が高温沸き上げ温度となるまで作動させる。即ち、最初に貯湯タンク１１０の上側に沸き上げられた中温の湯が、その後に沸き上げられる高温の湯によって下側に押され、図３に示すように、貯湯タンク１１０の上側に高温の湯、その下側に中温の湯が沸き上げられる。この時、中温の湯の上側には導出口１１３が位置し、また高温の湯の上側には導出口１１３ａが位置することになる。
【００６３】
そして、給湯時の制御については上記第１実施形態と同様に、中温の湯が導出口１１３から導出され、貯湯タンク１１０の下側部の給湯水を優先して使用することで、給湯水の更新が行われていく。
【００６４】
また、高温の湯は暖房用として導出口１１３ａから導出され、熱交換器１５０で中温の湯よりも温度低下（例えば４５℃）し、戻り口１３５から給湯水側に戻る。尚、高温の湯は、中温の湯が使用された後に、給湯用としても使用される（導出口１１３ａ、導出管１１４ａから出湯）。
【００６５】
これにより、給湯水を積極的に更新しつつ、ヒートポンプユニット１２０の使用エネルギーを最小限にして、用途に応じた湯の使用が可能となる。
【００６６】
尚、上記第３実施形態では異なる温度に沸き上げた湯の一方を主に暖房装置としての床暖房ユニット１４０に適用したものとして説明したが、その他にも、浴室乾燥機、パネルヒータ、ファンコンベクター、床下放熱器等に適用しても良い。
【００６７】
（その他の実施形態）
上記第１〜第３実施形態では、ヒートポンプユニット１２０の冷媒として二酸化炭素を用いるものとしたが、これに限らず、フロン冷媒（Ｒ４１０等）を用いるものとしても良い。
【００６８】
また、加熱手段としてヒートポンプユニット１２０に限らず、電気ヒータ等としても良い。
【００６９】
また、上記第１、第２実施形態では、沸き上げ温度を例えば６５℃として説明したが、これに限定されるものでは無く、湯の使用用途に応じて設定するようにすれば良い。
【図面の簡単な説明】
【００７０】
【図１】本発明の第１実施形態における貯湯式給湯装置の概略構成を示す模式図である。
【図２】本発明の第２実施形態における貯湯式給湯装置の概略構成を示す模式図である。
【図３】本発明の第３実施形態における貯湯式給湯装置の概略構成を示す模式図である。
【符号の説明】
【００７１】
１００  貯湯式給湯装置
１１０  貯湯タンク
１１３、１１３ａ  導出口
１２０  ヒートポンプユニット（加熱手段）
１３１、１３１ａ  取出し口（複数の取出し口）
１６０  制御装置（制御手段）
【図１】
2005055149.tif 000003
【図２】
2005055149.tif 000004
【図３】
2005055149.tif 000005